(57)【要約】【課題】インダクタンスの低下と、コイル導体間の絶縁性の低下とを抑制する積層コイル部品を提供する。【解決手段】積層コイル部品は、素体及び複数のコイル導体ＣＣを備えている。素体は、複数の金属磁性粒子と、複数の金属磁性粒子間に存在している樹脂ＲＥとを含んでいる。複数のコイル導体ＣＣは、所定の方向で互いに離間して素体内に配置されていると共に、互いに電気的に接続されている。素体に含まれる複数の金属磁性粒子は、複数の金属磁性粒子ＭＭを含んでいる。金属磁性粒子ＭＭは、所定の方向で互いに隣り合っているコイル導体ＣＣの間の距離の１／３以上１／２以下である粒子径を有している。所定の方向で互いに隣り合っているコイル導体ＣＣの間では、金属磁性粒子ＭＭが、所定の方向に沿うように並んでいる。【選択図】図４
2020155702.tif 000002
【特許請求の範囲】
【請求項１】
複数の金属磁性粒子と、前記複数の金属磁性粒子間に存在している樹脂とを含んでいる素体と、
所定の方向で互いに離間して前記素体内に配置されていると共に互いに電気的に接続されている複数のコイル導体と、を備えており、
前記素体に含まれる前記複数の金属磁性粒子は、前記所定の方向で互いに隣り合っている前記コイル導体の間の距離の１／３以上１／２以下である粒子径を有する複数の金属磁性粒子を含み、
前記所定の方向で互いに隣り合っている前記コイル導体の間では、前記粒子径を有する前記金属磁性粒子が、前記所定の方向に沿うように並んでいる、積層コイル部品。
【請求項２】
前記所定の方向に沿った断面において、前記粒子径を有する前記金属磁性粒子が前記所定の方向に沿うように並んでいる領域の面積は、前記所定の方向で互いに隣り合っている前記コイル導体の間の領域の面積の５０％より大きい、請求項１に記載の積層コイル部品。
【請求項３】
前記複数のコイル導体は、前記所定の方向で対向している一対の側面を有し、
前記一対の側面の表面粗さは、前記素体に含まれる前記複数の金属磁性粒子の平均粒子径の４０％未満である、請求項１又は２に記載の積層コイル部品。
【請求項４】
前記複数のコイル導体は、めっき導体である、請求項３に記載の積層コイル部品。
【発明の詳細な説明】
【技術分野】
【０００１】
本発明は、積層コイル部品に関する。
【背景技術】
【０００２】
素体と、複数のコイル導体と、を備えている積層コイル部品が知られている（たとえば、特許文献１参照）。素体は、複数の金属磁性粒子と、複数の金属磁性粒子間に存在している樹脂と、を含んでいる。複数のコイル導体は、所定の方向で互いに離間して素体内に配置されていると共に、互いに電気的に接続されている。
【先行技術文献】
【特許文献】
【０００３】
【特許文献１】特開２０１７−０７６７００号公報
【発明の概要】
【発明が解決しようとする課題】
【０００４】
本発明の態様は、インダクタンスの低下と、コイル導体間の絶縁性の低下とを抑制する積層コイル部品を提供することを目的とする。
【課題を解決するための手段】
【０００５】
一つ態様に係る積層コイル部品は、素体と、複数のコイル導体とを備えている。素体は、複数の金属磁性粒子と、複数の金属磁性粒子間に存在している樹脂と、を含んでいる。複数のコイル導体は、所定の方向で互いに離間して素体内に配置されていると共に、互いに電気的に接続されている。素体に含まれる複数の金属磁性粒子は、所定の方向で互いに隣り合っているコイル導体の間の距離の１／３以上１／２以下である粒子径を有する複数の金属磁性粒子を含んでいる。所定の方向で互いに隣り合っているコイル導体の間では、上記粒子径を有する金属磁性粒子が、所定の方向に沿うように並んでいる。
【０００６】
所定の方向で互いに隣り合っているコイル導体の間の距離の１／３以上である粒子径を有する金属磁性粒子の透磁率は、所定の方向で互いに隣り合っているコイル導体の間の距離の１／３より小さい粒子径を有する金属磁性粒子の透磁率より高い。以下、所定の方向で互いに隣り合っているコイル導体の間の距離は、「コイル導体間距離」と称される。上記一つの態様では、コイル導体間距離の１／３以上である粒子径を有する複数の金属磁性粒子が、コイル導体の間に所定の方向に沿うように並んでいるので、透磁率の低下が抑制される。
コイル導体間距離の１／２より大きい粒子径を有する金属磁性粒子の透磁率は、コイル導体間距離の１／２以下である粒子径を有する金属磁性粒子の透磁率より高い。しかしながら、コイル導体間距離の１／２より大きい粒子径を有する金属磁性粒子が、コイル導体の間で、所定の方向に沿うように並ぶ場合、積層コイル部品を製造する過程で、コイル導体に積層ズレが生じやすい。コイル導体に積層ズレが生じた場合、コイル内側に位置する磁路の断面積が減少し、インダクタンスが低下するおそれがある。上記一つの態様では、コイル導体間距離の１／２以下である粒子径を有する複数の金属磁性粒子が、コイル導体の間に所定の方向に沿うように並ぶので、コイル導体に積層ズレが生じがたい。
これらの結果、上記一つの態様は、インダクタンスの低下を抑制する。
【０００７】
コイル導体の間に所定の方向に沿うように並んでいる金属磁性粒子の数が少ない場合、コイル導体間の絶縁性が低下するおそれがある。コイル導体間距離の１／２以下である粒子径を有する金属磁性粒子がコイル導体の間に並ぶ数は、コイル導体間距離の１／２より大きい粒子径を有する金属磁性粒子がコイル導体の間に並ぶ数より大きい傾向にある。したがって、上記一つの態様では、コイル導体間の絶縁性が低下しがたい。
コイル導体間距離の１／３より小さい粒子径を有する金属磁性粒子がコイル導体の間に並ぶ数は、コイル導体間距離の１／３以上である粒子径を有する金属磁性粒子がコイル導体の間に並ぶ数より大きい傾向にある。しかしながら、コイル導体間距離の１／３より小さい粒子径を有する金属磁性粒子がコイル導体の間に並んでいる場合、コイル導体間距離の１／３以上である粒子径を有する金属磁性粒子がコイル導体の間に並んでいる場合に比して、金属磁性粒子間に形成される間隙が小さい。したがって、金属磁性粒子間に樹脂が存在しがたく、コイル導体間の絶縁性が低下するおそれがある。上記一つの態様では、コイル導体間距離の１／３以上である粒子径を有する複数の金属磁性粒子が、コイル導体の間に所定の方向に沿うように並んでいるので、金属磁性粒子間に樹脂が存在しやすく、コイル導体間の絶縁性が低下しがたい。
これらの結果、上記一つの態様は、コイル導体間の絶縁性の低下を抑制する。
【０００８】
上記一つの態様では、所定の方向に沿った断面において、粒子径を有する金属磁性粒子が所定の方向に沿うように並んでいる領域の面積は、所定の方向で互いに隣り合っている前記コイル導体の間の領域の面積の５０％より大きくてもよい。本構成は、コイル導体間の絶縁性の低下をより一層抑制する。
【０００９】
上記一つの態様では、複数のコイル導体は、所定の方向で対向している一対の側面を有していてもよい。一対の側面の表面粗さは、素体に含まれる複数の金属磁性粒子の平均粒子径の４０％未満であってもよい。
積層コイル部品のＱ特性は、コイル導体の抵抗成分に依存する。高周波域では、表皮効果により、電流（信号）は、コイル導体の表面近傍を流れやすい。したがって、コイル導体の表面及び表面近傍での抵抗成分が増加すると、積層コイル部品のＱ特性は低下する。以下、コイル導体の表面及び表面近傍での抵抗成分は、「表面抵抗」と称される。コイル導体の表面に凹凸が存在している構成では、コイル導体の表面に凹凸が存在していない構成に比して、電流が流れる長さが実質的に大きいため、表面抵抗が大きい。
上記所定の方向で互いに対向している一対の側面の表面粗さが、複数の金属磁性粒子の平均粒子径の４０％未満である構成では、上記一対の側面の表面粗さが、複数の金属磁性粒子の平均粒子径の４０％以上である構成に比して、表面抵抗の増加が抑制され、高周波域でのＱ特性の低下が抑制される。したがって、上記一つの態様は、表面抵抗の増加を抑制して、高周波域でのＱ特性の低下を抑制する。
【００１０】
上記一つの態様では、複数のコイル導体は、めっき導体であってもよい。
コイル導体が焼結金属導体である場合、コイル導体は、導電性ペーストに含まれる金属成分（金属粉末）が焼結することにより形成される。この場合、金属成分が焼結する以前の過程において、導電性ペーストに金属磁性粒子が食い込み、導電性ペーストの表面には、金属磁性粒子の形状に起因した凹凸が形成される。形成されたコイル導体は、金属磁性粒子がコイル導体に食い込むように変形している。したがって、コイル導体が焼結金属導体である構成は、コイル導体の表面粗さを著しく増加させる。
これに対し、コイル導体がめっき導体である場合、金属磁性粒子はコイル導体に食い込みがたく、コイル導体の変形が抑制される。したがって、コイル導体がめっき導体である構成は、コイル導体の表面粗さの増加を抑制し、表面抵抗の増加を抑制する。
【発明の効果】
【００１１】
本発明の態様によれば、インダクタンスの低下と、コイル導体間の絶縁性の低下とを抑制する積層コイル部品が提供される。
【図面の簡単な説明】
【００１２】
【図１】一実施形態に係る積層コイル部品を示す斜視図である。
【図２】本実施形態に係る積層コイル部品の分解斜視図である。
【図３】本実施形態に係る積層コイル部品の断面構成を示す模式図である。
【図４】コイル導体及び金属磁性粒子の断面構成を示す図である。
【図５】コイル導体及び金属磁性粒子を示す模式図である。
【発明を実施するための形態】
【００１３】
以下、添付図面を参照して、本発明の実施形態について詳細に説明する。なお、説明において、同一要素又は同一機能を有する要素には、同一符号を用いることとし、重複する説明は省略する。
【００１４】
図１〜図３を参照して、本実施形態に係る積層コイル部品１の構成を説明する。図１は、本実施形態に係る積層コイル部品を示す斜視図である。図２は、本実施形態に係る積層コイル部品の分解斜視図である。図３は、本実施形態に係る積層コイル部品の断面構成を示す模式図である。
【００１５】
図１〜図３に示されるように、積層コイル部品１は、素体２と、一対の外部電極４，５と、を備えている。一対の外部電極４，５は、素体２の両端部にそれぞれ配置されている。積層コイル部品１は、たとえば、ビーズインダクタ又はパワーインダクタに適用できる。
【００１６】
素体２は、直方体形状を呈している。直方体形状は、角部及び稜線部が面取りされている直方体の形状、及び、角部及び稜線部が丸められている直方体の形状を含む。素体２は、互いに対向する一対の端面２ａ，２ｂと、四つの側面２ｃ，２ｄ，２ｅ，２ｆと、を有している。四つの側面２ｃ，２ｄ，２ｅ，２ｆは、一対の端面２ａ，２ｂを連結するように、端面２ａと端面２ｂとが互いに対向している方向に延在している。
【００１７】
端面２ａと端面２ｂとは、第一方向Ｄ１で互いに対向している。側面２ｃと側面２ｄとは、第二方向Ｄ２で互いに対向している。側面２ｅと側面２ｆとは、第三方向Ｄ３で互いに対向している。第一方向Ｄ１と、第二方向Ｄ２と、第三方向Ｄ３とは、互いに略直交している。側面２ｄは、たとえば、図示しない電子機器に積層コイル部品１が実装される際に、電子機器と対向する面である。電子機器は、たとえば、回路基板又は電子部品を含む。本実施形態では、側面２ｄは、実装面を構成するように配置される。側面２ｄは、実装面である。
【００１８】
素体２は、複数の磁性体層７が積層されることによって構成されている。各磁性体層７は、第三方向Ｄ３に積層されている。素体２は、積層されている複数の磁性体層７を有している。実際の素体２では、複数の磁性体層７は、その層間の境界が視認できない程度に一体化されている。
【００１９】
各磁性体層７は、複数の金属磁性粒子を含んでいる。金属磁性粒子は、たとえば、軟磁性合金から構成される。軟磁性合金は、たとえば、Ｆｅ−Ｓｉ系合金である。軟磁性合金がＦｅ−Ｓｉ系合金である場合、軟磁性合金は、Ｐを含んでいてもよい。軟磁性合金は、たとえば、Ｆｅ−Ｎｉ−Ｓｉ−Ｍ系合金であってもよい。「Ｍ」はＣｏ、Ｃｒ、Ｍｎ、Ｐ、Ｔｉ、Ｚｒ、Ｈｆ、Ｎｂ、Ｔａ、Ｍｏ、Ｍｇ、Ｃａ、Ｓｒ、Ｂａ、Ｚｎ、Ｂ、Ａｌ、及び希土類元素から選択される一種以上の元素を含む。磁性体層７では、金属磁性粒子同士が結合している。金属磁性粒子同士の結合は、たとえば、金属磁性粒子の表面に形成される酸化膜同士の結合で実現される。素体２は、樹脂を含んでいる。樹脂は、複数の金属磁性粒子間に存在している。樹脂は、電気絶縁性を有する樹脂（絶縁性樹脂）である。絶縁性樹脂は、たとえば、シリコーン樹脂、フェノール樹脂、アクリル樹脂、又はエポキシ樹脂を含む。
【００２０】
金属磁性粒子の平均粒子径は、０．５〜１５μｍである。本実施形態では、金属磁性粒子の平均粒子径は、５μｍである。本実施形態では、「平均粒子径」は、レーザー回折・散乱法によって求めた粒度分布における積算値５０％での粒径を意味する。
【００２１】
外部電極４は、素体２の端面２ａに配置されており、外部電極５は、素体２の端面２ｂに配置されている。すなわち、外部電極４と外部電極５とは、第一方向Ｄ１で互いに離間している。外部電極４，５は、平面視で略矩形形状を呈しており、外部電極４，５の角は丸められている。外部電極４，５は、導電性材料を含んでいる。導電性材料は、たとえば、Ａｇ又はＰｄである。外部電極４，５は、導電性ペーストの焼結体として構成されている。導電性ペーストは、導電性金属粉末及びガラスフリットを含んでいる。導電性金属粉末は、たとえば、Ａｇ粉末又はＰｄ粉末である。外部電極４，５の表面には、めっき層が形成されている。めっき層は、たとえば、電気めっきにより形成される。電気めっきは、たとえば、電気Ｎｉめっき又は電気Ｓｎめっきである。
【００２２】
外部電極４は、５つの電極部分を含んでいる。外部電極４は、端面２ａ上に位置する電極部分４ａと、側面２ｄ上に位置する電極部分４ｂと、側面２ｃ上に位置する電極部分４ｃと、側面２ｅ上に位置する電極部分４ｄと、側面２ｆ上に位置する電極部分４ｅと、を含んでいる。電極部分４ａは、端面２ａの全面を覆っている。電極部分４ｂは、側面２ｄの一部を覆っている。電極部分４ｃは、側面２ｃの一部を覆っている。電極部分４ｄは、側面２ｅの一部を覆っている。電極部分４ｅは、側面２ｆの一部を覆っている。５つの電極部分４ａ，４ｂ，４ｃ，４ｄ，４ｅは、一体的に形成されている。
【００２３】
外部電極５は、５つの電極部分を含んでいる。外部電極５は、端面２ｂ上に位置する電極部分５ａと、側面２ｄ上に位置する電極部分５ｂと、側面２ｃ上に位置する電極部分５ｃと、側面２ｅ上に位置する電極部分５ｄと、側面２ｆ上に位置する電極部分５ｅと、を含んでいる。電極部分５ａは、端面２ｂの全面を覆っている。電極部分５ｂは、側面２ｄの一部を覆っている。電極部分５ｃは、側面２ｃの一部を覆っている。電極部分５ｄは、側面２ｅの一部を覆っている。電極部分５ｅは、側面２ｆの一部を覆っている。５つの電極部分５ａ，５ｂ，５ｃ，５ｄ，５ｅは、一体的に形成されている。
【００２４】
積層コイル部品１は、コイル２０と、一対の接続導体１３，１４と、を備えている。コイル２０は、素体２内に配置されている。コイル２０は、複数のコイル導体ＣＣを含んでいる。本実施形態では、複数のコイル導体ＣＣは、六つのコイル導体２１〜２６を含んでいる。コイル２０は、スルーホール導体１７を含んでいる。一対の接続導体１３，１４も、素体２内に配置されている。
【００２５】
コイル導体ＣＣ（コイル導体２１〜２６）は、素体２内に配置されている。コイル導体２１〜２６は、第三方向Ｄ３で互いに離間している。第三方向Ｄ３で互いに隣り合っている各コイル導体２１〜２６の間の距離Ｄｃは、それぞれ同等である。各距離Ｄｃは、異なっていてもよい。コイル２０のコイル軸は、第三方向Ｄ３に沿って延在している。コイル導体２１〜２６の厚みは、たとえば、約４０μｍである。コイル導体２１〜２６の幅は、たとえば、約１５０μｍである。
【００２６】
距離Ｄｃは、たとえば、５〜３０μｍである。本実施形態では、距離Ｄｃは、１５μｍである。コイル導体ＣＣ（コイル導体２１〜２６）の表面は、後述するように、粗さを有しているので、距離Ｄｃは、コイル導体ＣＣの表面形状に応じて変化する。したがって、距離Ｄｃは、たとえば、以下のようにして得られる。
各コイル導体ＣＣ（各コイル導体２１〜２６）を含む積層コイル部品１の断面写真を取得する。断面写真は、たとえば、一対の端面２ａ，２ｂに平行であり、かつ、一方の端面２ａから所定距離だけ離れている平面で積層コイル部品１を切断したときの断面を撮影することにより得られる。上記平面は、一対の端面２ａ，２ｂから等距離に位置していてもよい。断面写真は、一対の側面２ｅ，２ｆに平行であり、かつ、一方の側面２ｅから所定距離だけ離れている平面で積層コイル部品１を切断したときの断面を撮影することにより得られてもよい。
取得した断面写真上での、第三方向Ｄ３で互いに隣り合っているコイル導体ＣＣの間の距離を、任意の複数の位置で測定する。測定位置の数は、たとえば、「５０」である。測定した距離の平均値を算出する。算出した平均値を、距離Ｄｃとする。
【００２７】
各コイル導体２１，２３，２５，２６の一端部と他端部とは、第三方向Ｄ３で互いに離間している。各コイル導体２２，２４の一端部と他端部とは、第二方向Ｄ２で互いに離間している。第三方向Ｄ３で互いに隣り合っている各コイル導体２１〜２６は、第三方向Ｄ３から見て、互いに重なり合っている第一導体部分と、互いに重なり合っていない第二導体部分とを有している。
【００２８】
スルーホール導体１７は、第三方向Ｄ３で互いに隣り合っている各コイル導体２１〜２６の端部の間に位置している。スルーホール導体１７は、第三方向Ｄ３で互いに隣り合っている各コイル導体２１〜２６の端部を互いに接続している。複数のコイル導体２１〜２６は、スルーホール導体１７を通して互いに電気的に接続されている。コイル導体２１の端部は、コイル２０の一端を構成している。コイル導体２６の端部は、コイル２０の他端を構成している。コイル２０の軸心の方向は、第三方向Ｄ３に沿っている。
【００２９】
接続導体１３は、コイル導体２１と接続している。接続導体１３は、コイル導体２１と連続している。接続導体１３は、コイル導体２１と一体的に形成されている。接続導体１３は、コイル導体２１の端部２１ａと外部電極４とを連結しており、素体２の端面２ａに露出している。接続導体１３は、外部電極４の電極部分４ａと接続されている。接続導体１３は、コイル２０の一端部と外部電極４とを電気的に接続している。
【００３０】
接続導体１４は、コイル導体２６と接続している。接続導体１４は、コイル導体２６と連続している。接続導体１４は、コイル導体２６と一体的に形成されている。接続導体１４は、コイル導体２６の端部２６ｂと外部電極５とを連結しており、素体２の端面２ｂに露出している。接続導体１４は、外部電極５の電極部分５ａと接続されている。接続導体１４は、コイル２０の他端部と外部電極５とを電気的に接続している。
【００３１】
コイル導体ＣＣ（コイル導体２１〜２６）及び接続導体１３，１４は、めっき導体である。コイル導体ＣＣ及び接続導体１３，１４は、導電性材料を含んでいる。導電性材料は、たとえば、Ａｇ、Ｐｄ、Ｃｕ、Ａｌ、又はＮｉである。スルーホール導体１７は、導電性材料を含んでいる。導電性材料は、たとえば、Ａｇ、Ｐｄ、Ｃｕ、Ａｌ、又はＮｉである。スルーホール導体１７は、導電性ペーストの焼結体として構成されている。導電性ペーストは、導電性金属粉末を含む。導電性金属粉末は、たとえば、Ａｇ粉末、Ｐｄ粉末、Ｃｕ粉末、Ａｌ粉末、又はＮｉ粉末である。スルーホール導体１７は、めっき導体であってもよい。
【００３２】
素体２に含まれる上記複数の金属磁性粒子は、距離Ｄｃの１／３以上１／２以下である粒子径を有する複数の金属磁性粒子ＭＭを含んでいる。本実施形態では、金属磁性粒子ＭＭの粒子径は、５．０〜７．５μｍである。図４に示されるように、金属磁性粒子ＭＭは、第三方向Ｄ３で互いに隣り合っているコイル導体ＣＣの間で、第三方向Ｄ３に沿うように並んでいる。図４は、コイル導体及び金属磁性粒子の断面構成を示す図である。図４では、断面を表すハッチングが省略されている。
【００３３】
金属磁性粒子ＭＭが第三方向Ｄ３に沿うように並ぶとは、金属磁性粒子ＭＭの全体が、第三方向Ｄ３から見て、互いに重なっている状態だけではなく、金属磁性粒子ＭＭが、第三方向Ｄ３から見て、互いに一部でも重なっている状態も含む。素体２に含まれる上記複数の金属磁性粒子は、金属磁性粒子ＭＭの粒子径より大きい粒子径を有する金属磁性粒子及び金属磁性粒子ＭＭの粒子径より小さい粒子径を有する金属磁性粒子を含んでいる。本実施形態では、粒子径は、円相当径で規定される。
【００３４】
金属磁性粒子の円相当径は、たとえば、以下のようにして得られる。
各コイル導体ＣＣ（各コイル導体２１〜２６）及び金属磁性粒子を含む積層コイル部品１の断面写真を取得する。上述したように、断面写真は、たとえば、一対の端面２ａ，２ｂに平行であり、かつ、一方の端面２ａから所定距離だけ離れている平面で積層コイル部品１を切断したときの断面を撮影することにより得られる。この場合、上記平面は、一対の端面２ａ，２ｂから等距離に位置していてもよい。上述したように、断面写真は、一対の側面２ｅ，２ｆに平行であり、かつ、一方の側面２ｅから所定距離だけ離れている平面で積層コイル部品１を切断したときの断面を撮影することにより得られてもよい。断面写真は、距離Ｄｃを得る際に撮影した断面写真であってもよい。
取得した断面写真をソフトウェアにより画像処理する。この画像処理により、各金属磁性粒子の境界を判別し、各金属磁性粒子の面積を算出する。算出した金属磁性粒子の面積から、円相当径に換算した粒子径をそれぞれ算出する。
【００３５】
第三方向Ｄ３で互いに隣り合っているコイル導体ＣＣの間の領域は、金属磁性粒子ＭＭが第三方向Ｄ３に沿うように並んでいる領域を含んでいる。第三方向Ｄ３で互いに隣り合っているコイル導体ＣＣの間の領域は、素体２における、第三方向Ｄ３で互いに隣り合っているコイル導体ＣＣで挟まれる領域である。たとえば、コイル導体２１とコイル導体２２との間の領域は、素体２における、コイル導体２１とコイル導体２２とで挟まれる領域であり、第三方向Ｄ３から見て、コイル導体２１及びコイル導体２２の全体と重なっている。第三方向Ｄ３に沿った断面において、金属磁性粒子ＭＭが第三方向Ｄ３に沿うように並んでいる領域の面積は、第三方向Ｄ３で互いに隣り合っているコイル導体ＣＣの間の領域の面積の５０％より大きい。金属磁性粒子ＭＭが第三方向Ｄ３に沿うように並んでいる領域では、金属磁性粒子ＭＭは互いに接していてもよく、また、金属磁性粒子ＭＭは互いに接していなくてもよい。第三方向Ｄ３で互いに隣り合っているコイル導体ＣＣの間の領域には、金属磁性粒子ＭＭの粒子径より大きい粒子径を有する金属磁性粒子及び金属磁性粒子ＭＭの粒子径より小さい粒子径を有する金属磁性粒子も位置している。
【００３６】
金属磁性粒子ＭＭが第三方向Ｄ３に沿うように並んでいる領域の面積は、たとえば、以下のようにして得られる。
各コイル導体ＣＣ（各コイル導体２１〜２６）及び金属磁性粒子を含む積層コイル部品１の断面写真を取得する。上述したように、断面写真は、たとえば、一対の端面２ａ，２ｂに平行であり、かつ、一方の端面２ａから所定距離だけ離れている平面で積層コイル部品１を切断したときの断面を撮影することにより得られる。この場合、上記平面は、一対の端面２ａ，２ｂから等距離に位置していてもよい。上述したように、断面写真は、一対の側面２ｅ，２ｆに平行であり、かつ、一方の側面２ｅから所定距離だけ離れている平面で積層コイル部品１を切断したときの断面を撮影することにより得られてもよい。断面写真は、距離Ｄｃを得る際に撮影した断面写真、又は、金属磁性粒子の円相当径を得る際に取得した断面写真であってもよい。
取得した断面写真をソフトウェアにより画像処理する。この画像処理により、第三方向Ｄ３で互いに隣り合っているコイル導体ＣＣの間の領域に位置している各金属磁性粒子の境界を判別し、当該各金属磁性粒子の面積を算出する。算出した金属磁性粒子の面積から、円相当径に換算した粒子径をそれぞれ算出する。第三方向Ｄ３で互いに隣り合っているコイル導体ＣＣの間の領域に位置している金属磁性粒子のうち、粒子径が距離Ｄｃの１／３以上１／２以下である粒子径を有している金属磁性粒子ＭＭを特定する。
【００３７】
図５に示されるように、第三方向Ｄ３に沿うように並んでいる複数の金属磁性粒子ＭＭに接し、かつ、第三方向Ｄ３に平行な一対の直線Ｌｒを、断面写真上で規定する。一対の直線Ｌｒと、第三方向Ｄ３で互いに対向している一対のコイル導体ＣＣとで囲まれる領域の面積を算出する。一対の直線Ｌｒと一対のコイル導体ＣＣとで囲まれる複数の領域が存在する場合には、各領域の面積の和を、金属磁性粒子ＭＭが第三方向Ｄ３に沿うように並んでいる領域の面積とする。図５は、コイル導体及び金属磁性粒子を示す模式図である。図５では、説明理解の容易性を考慮して、コイル導体ＣＣが矩形状で示されると共に、金属磁性粒子ＭＭが真円で示されている。当然のことながら、コイル導体ＣＣ及び金属磁性粒子ＭＭの実際の形状は、図５に示された形状に限られない。コイル導体ＣＣの間の領域には、上述したように、金属磁性粒子ＭＭの粒子径より大きい粒子径を有する金属磁性粒子ＭＭＬ及び金属磁性粒子ＭＭの粒子径より小さい粒子径を有する金属磁性粒子ＭＭＳも位置している。
【００３８】
第三方向Ｄ３で互いに隣り合っているコイル導体ＣＣの間の領域の面積は、たとえば、たとえば、以下のようにして得られる。
金属磁性粒子ＭＭが第三方向Ｄ３に沿うように並んでいる領域の面積を得る際に取得した断面写真をソフトウェアにより画像処理する。この画像処理により、コイル導体ＣＣの間の境界を判別し、第三方向Ｄ３で互いに対向している一対のコイル導体ＣＣで挟まれる領域の面積を算出する。
【００３９】
各コイル導体ＣＣ（各コイル導体２１〜２６）は、図３及び図４に示されているように、一対の側面ＳＦ１を有している。一対の側面ＳＦ１は、第三方向Ｄ３で互いに対向している。各コイル導体ＣＣは、一対の側面ＳＦ１とは別の一対の側面ＳＦ２を有している。一対の側面ＳＦ２は、一対の側面ＳＦ１を連結するように延在している。各コイル導体ＣＣの断面形状は、略四角形状を呈している。各コイル導体ＣＣの断面形状は、たとえば、略矩形状又は略台形状を呈している。
【００４０】
各側面ＳＦ１の表面粗さは、金属磁性粒子の平均粒子径の４０％未満である。本実施形態では、各側面ＳＦ１の表面粗さは、２μｍ未満である。各側面ＳＦ１の表面粗さは、たとえば、１．０〜１．８μｍである。この場合、各側面ＳＦ１の表面粗さは、金属磁性粒子の平均粒子径の２０〜３６％である。各側面ＳＦ１の表面粗さは、略０μｍであってもよい。図４にも示されるように、樹脂ＲＥが、金属磁性粒子間に存在している。樹脂ＲＥは、上述したように、たとえば、シリコーン樹脂、フェノール樹脂、アクリル樹脂、又はエポキシ樹脂を含む。
【００４１】
コイル導体ＣＣの各側面ＳＦ１の表面粗さは、たとえば、以下のようにして得られる。
各コイル導体ＣＣ（各コイル導体２１〜２６）を含む積層コイル部品１の断面写真を取得する。上述したように、断面写真は、たとえば、一対の端面２ａ，２ｂに平行であり、かつ、一方の端面２ａから所定距離だけ離れている平面で積層コイル部品１を切断したときの断面を撮影することにより得られる。この場合、上記平面は、一対の端面２ａ，２ｂから等距離に位置していてもよい。上述したように、断面写真は、一対の側面２ｅ，２ｆに平行であり、かつ、一方の側面２ｅから所定距離だけ離れている平面で積層コイル部品１を切断したときの断面を撮影することにより得られてもよい。断面写真は、距離Ｄｃを得る際に撮影した断面写真、金属磁性粒子の円相当径を得る際に取得した断面写真、又は、金属磁性粒子ＭＭが第三方向Ｄ３に沿うように並んでいる領域の面積を得る際に取得した断面写真であってもよい。
【００４２】
取得した断面写真上での側面ＳＦ１に対応する曲線は、粗さ曲線で表される。断面写真上での側面ＳＦ１（粗さ曲線）から基準長さだけを抜き取り、抜き取った部分における最も高い頂での山頂線を得る。基準長さは、たとえば、１００μｍである。山頂線は、第三方向Ｄ３に直交しており、基準線である。抜き取った部分を、所定数に等分する。所定数は、たとえば、「１０」である。等分された区画ごとに、最も低い底での谷底線を得る。谷底線も、第三方向Ｄ３に直交している。等分された区画ごとに、山頂線と谷底線との第三方向Ｄ３での間隔を測定する。測定した間隔の平均値を算出する。算出した平均値を、表面粗さとする。側面ＳＦ１ごとに、上述した手順によって表面粗さを得る。
異なる位置での複数の断面写真を取得し、断面写真毎に表面粗さを取得してもよい。この場合、取得した複数の表面粗さの平均値を表面粗さとしてもよい。
【００４３】
距離Ｄｃの１／３以上である粒子径を有する金属磁性粒子ＭＭの透磁率は、距離Ｄｃの１／３より小さい粒子径を有する金属磁性粒子の透磁率より高い。積層コイル部品１では、距離Ｄｃの１／３以上である粒子径を有する複数の金属磁性粒子ＭＭが、コイル導体ＣＣ（コイル導体２１〜２６）の間に第三方向Ｄ３に沿うように並んでいるので、透磁率の低下が抑制される。
距離Ｄｃの１／２より大きい粒子径を有する金属磁性粒子の透磁率は、距離Ｄｃの１／２以下である粒子径を有する金属磁性粒子ＭＭの透磁率より高い。しかしながら、距離Ｄｃの１／２より大きい粒子径を有する金属磁性粒子が、コイル導体ＣＣの間で、第三方向Ｄ３に沿うように並ぶ場合、積層コイル部品１を製造する過程で、コイル導体ＣＣに積層ズレが生じやすい。コイル導体ＣＣに積層ズレが生じた場合、コイル２０の内側に位置する磁路の断面積が減少し、インダクタンスが低下するおそれがある。積層コイル部品１では、距離Ｄｃの１／２以下である粒子径を有する複数の金属磁性粒子ＭＭが、コイル導体ＣＣの間に第三方向Ｄ３に沿うように並ぶので、コイル導体ＣＣに積層ズレが生じがたい。
これらの結果、積層コイル部品１は、インダクタンスの低下を抑制する。
【００４４】
コイル導体ＣＣ（コイル導体２１〜２６）の間に第三方向Ｄ３に沿うように並んでいる金属磁性粒子の数が少ない場合、コイル導体ＣＣ間の絶縁性が低下するおそれがある。距離Ｄｃの１／２以下である粒子径を有する金属磁性粒子ＭＭがコイル導体ＣＣの間に並ぶ数は、距離Ｄｃの１／２より大きい粒子径を有する金属磁性粒子がコイル導体ＣＣの間に並ぶ数より大きい傾向にある。したがって、積層コイル部品１では、コイル導体ＣＣ間の絶縁性が低下しがたい。
距離Ｄｃの１／３より小さい粒子径を有する金属磁性粒子がコイル導体ＣＣの間に並ぶ数は、距離Ｄｃの１／３以上である粒子径を有する金属磁性粒子ＭＭがコイル導体の間に並ぶ数より大きい傾向にある。しかしながら、距離Ｄｃの１／３より小さい粒子径を有する金属磁性粒子がコイル導体ＣＣの間に並んでいる場合、距離Ｄｃの１／３以上である粒子径を有する金属磁性粒子ＭＭがコイル導体ＣＣの間に並んでいる場合に比して、金属磁性粒子（金属磁性粒子ＭＭ）間に形成される間隙が小さい。したがって、金属磁性粒子間に樹脂ＲＥが存在しがたく、コイル導体ＣＣ間の絶縁性が低下するおそれがある。積層コイル部品１では、距離Ｄｃの１／３以上である粒子径を有する複数の金属磁性粒子ＭＭが、コイル導体ＣＣの間に第三方向Ｄ３に沿うように並んでいるので、金属磁性粒子ＭＭ間に樹脂ＲＥが存在しやすく、コイル導体ＣＣ間の絶縁性が低下しがたい。
これらの結果、積層コイル部品１は、コイル導体ＣＣ間の絶縁性の低下を抑制する。
【００４５】
積層コイル部品１のＱ特性は、コイル導体ＣＣ（コイル導体２１〜２６）の抵抗成分に依存する。高周波域では、表皮効果により、電流（信号）は、コイル導体ＣＣの表面近傍を流れやすい。したがって、コイル導体ＣＣの表面抵抗が増加すると、積層コイル部品１のＱ特性は低下する。コイル導体ＣＣの表面に凹凸が存在している構成では、コイル導体ＣＣの表面に凹凸が存在していない構成に比して、電流が流れる長さが実質的に大きいため、表面抵抗が大きい。
各側面ＳＦ１の表面粗さが、金属磁性粒子ＭＭの平均粒子径の４０％未満である構成では、各側面ＳＦ１の表面粗さが、金属磁性粒子ＭＭの平均粒子径の４０％以上である構成に比して、表面抵抗の増加が抑制され、高周波域でのＱ特性の低下が抑制される。したがって、積層コイル部品１は、表面抵抗の増加を抑制して、高周波域でのＱ特性の低下を抑制する。
【００４６】
積層コイル部品１では、一対の側面ＳＦ２の表面粗さは、一対の側面ＳＦ１の表面粗さより小さい。積層コイル部品１では、一対の側面ＳＦ２の表面粗さが、一対の側面ＳＦ１の表面粗さ以上である構成に比して、コイル導体ＣＣ（コイル導体２１〜２６）の表面抵抗が小さい。したがって、積層コイル部品１は、表面抵抗の増加をより一層抑制して、高周波域でのＱ特性の低下をより一層抑制する。
【００４７】
積層コイル部品１では、コイル導体ＣＣ（コイル導体２１〜２６）は、めっき導体である。
コイル導体が焼結金属導体である場合、コイル導体は、導電性ペーストに含まれる金属成分（金属粉末）が焼結することにより形成される。この場合、金属成分が焼結する以前の過程において、導電性ペーストに金属磁性粒子が食い込み、導電性ペーストの表面には、金属磁性粒子の形状に起因した凹凸が形成される。コイル導体が焼結金属導体である場合、コイル導体は、金属磁性粒子がコイル導体に食い込むように変形している。したがって、コイル導体が焼結金属導体である構成は、コイル導体の表面粗さを著しく増加させる。
これに対し、コイル導体ＣＣがめっき導体である場合、図４に示されるように、金属磁性粒子ＭＭはコイル導体ＣＣに食い込みがたく、コイル導体ＣＣの変形が抑制される。したがって、コイル導体ＣＣがめっき導体である構成は、コイル導体ＣＣの表面粗さの増加を抑制し、表面抵抗の増加を抑制する。
【００４８】
以上、本発明の実施形態について説明してきたが、本発明は必ずしも上述した実施形態に限定されるものではなく、その要旨を逸脱しない範囲で様々な変更が可能である。
【００４９】
第三方向Ｄ３に沿った断面において、金属磁性粒子ＭＭが第三方向Ｄ３に沿うように並んでいる領域の面積は、第三方向Ｄ３で互いに隣り合っているコイル導体ＣＣの間の領域の面積の５０％以下であってもよい。第三方向Ｄ３に沿った断面において、金属磁性粒子ＭＭが第三方向Ｄ３に沿うように並んでいる領域の面積は、第三方向Ｄ３で互いに隣り合っているコイル導体ＣＣの間の領域の面積の５０％より大きい構成は、上述したように、コイル導体ＣＣ間の絶縁性の低下をより一層抑制する。
コイル導体ＣＣ（コイル導体２１〜２６）の数は、上述した値に限られない。
コイル２０のコイル軸は、第一方向Ｄ１に沿って延在していてもよい。この場合、各磁性体層７は、第一方向Ｄ１に積層されており、コイル導体ＣＣ（コイル導体２１〜２６）は、第一方向Ｄ１で互いに離間している。
外部電極４は、電極部分４ａのみを有していてもよく、電極部分４ｂのみを有していてもよい。外部電極５も、電極部分５ａのみを有していてもよく、電極部分５ｂのみを有していてもよい。
【符号の説明】
【００５０】
１…積層コイル部品、２…素体、２０…コイル、２１〜２６，ＣＣ…コイル導体、Ｄ１…第一方向、Ｄ２…第二方向、Ｄ３…第三方向、Ｄｃ…コイル導体の間の距離、ＭＭ…金属磁性粒子、ＲＥ…樹脂。
【図１】
2020155702.tif 000003
【図２】
2020155702.tif 000004
【図３】
2020155702.tif 000005
【図４】
2020155702.tif 000006
【図５】
2020155702.tif 000007